(57)【要約】  精度の高い類似症例分析結果を取得できるようにする。  記憶部（１１）は、分析結果と変数統計情報とをそれぞれ含む分析履歴（１３ａ，１３ｂ，…）を記憶する。分析結果（１４ａ）は、患者データ（１７）に関して分析された病態進行状況または治療効果を示す。変数統計情報（１５ａ）は、病態進行状況または治療効果の分析の際に参照された患者データ（１８ａ，１８ｂ）に含まれる変数の値の分布を示す。処理部（１２）は、患者データ（１９）に含まれる変数の値と分析履歴（１３ａ，１３ｂ，…）それぞれの変数統計情報が示す分布との比較に基づいて、分析履歴（１３ａ，１３ｂ，…）のスコア（１６ａ，１６ｂ，…）を算出する。処理部（１２）は、スコア（１６ａ，１６ｂ，…）に応じて分析履歴（１３ａ，１３ｂ，…）のうち一部の分析履歴の分析結果を出力する。
2018073895.tif 000002
【特許請求の範囲】
【請求項１】
コンピュータに、
第１の患者の患者データに関して分析された病態進行状況または治療効果を示す分析結果と、前記病態進行状況または治療効果の分析の際に参照された複数の第２の患者の患者データに含まれる変数の値の分布を示す変数統計情報と、をそれぞれ含む複数の分析履歴を取得し、
第３の患者の患者データの指定を受け付け、
前記第３の患者の患者データに含まれる前記変数の値と前記複数の分析履歴それぞれの前記変数統計情報が示す前記変数の値の分布との比較に基づいて、前記複数の分析履歴それぞれのスコアを算出し、前記スコアに応じて前記複数の分析履歴のうち一部の分析履歴の前記分析結果を出力する、
処理を実行させる類似症例検索プログラム。
【請求項２】
前記複数の第２の患者の患者データおよび前記第３の患者の患者データはそれぞれ複数の変数の値を含み、前記変数統計情報は前記複数の変数それぞれの値の分布を示し、
前記スコアは、前記複数の変数のうち、前記第３の患者の患者データに含まれる値が前記変数統計情報の分布が示す範囲に属している変数の個数に応じて算出される、
請求項１記載の類似症例検索プログラム。
【請求項３】
前記変数統計情報が示す前記変数は、前記第１の患者の患者データと前記複数の第２の患者の患者データそれぞれとの間の類似度の判定に使用された変数である、
請求項１記載の類似症例検索プログラム。
【請求項４】
前記複数の第２の患者の患者データはそれぞれ、前記第１の患者の患者データとの間で判定された類似度が閾値以上である類似症例データである、
請求項１記載の類似症例検索プログラム。
【請求項５】
第１の患者の患者データに関して分析された病態進行状況または治療効果を示す分析結果と、前記病態進行状況または治療効果の分析の際に参照された複数の第２の患者の患者データに含まれる変数の値の分布を示す変数統計情報と、をそれぞれ含む複数の分析履歴を記憶する記憶部と、
第３の患者の患者データの指定を受け付け、前記第３の患者の患者データに含まれる前記変数の値と前記複数の分析履歴それぞれの前記変数統計情報が示す前記変数の値の分布との比較に基づいて、前記複数の分析履歴それぞれのスコアを算出し、前記スコアに応じて前記複数の分析履歴のうち一部の分析履歴の前記分析結果を出力する処理部と、
を有する類似症例検索装置。
【請求項６】
情報処理システムが実行する類似症例検索方法であって、
第１の患者の患者データを用いて複数の第２の患者の患者データを検索し、
前記複数の第２の患者の患者データを参照して前記第１の患者の患者データに関する病態進行状況または治療効果を示す分析結果を生成し、また、前記複数の第２の患者の患者データに含まれる変数の値の分布を示す変数統計情報を生成し、
前記分析結果および前記変数統計情報を対応付けた分析履歴をデータベースに保存することで、前記データベースに複数の分析履歴を蓄積させ、
第３の患者の患者データが指定されると、前記第３の患者の患者データに含まれる前記変数の値と前記複数の分析履歴それぞれの前記変数統計情報が示す前記変数の値の分布との比較に基づいて、前記複数の分析履歴それぞれのスコアを算出し、
前記スコアに応じて前記複数の分析履歴のうち一部の分析履歴の前記分析結果を出力する、
類似症例検索方法。
【発明の詳細な説明】
【技術分野】
【０００１】
本発明は類似症例検索プログラム、類似症例検索装置および類似症例検索方法に関する。
【背景技術】
【０００２】
情報処理技術の発達に伴い、医療分野では医師による患者の診療を支援する情報処理システムが用いられるようになっている。例えば、測定された検査値や採用された治療方法などを示す臨床情報を様々な患者についてデータベースに登録しておき、対象患者の臨床情報に類似する他の患者の臨床情報を類似症例としてデータベースから検索する情報処理システムが考えられる。類似症例を参照することで、病態進行の予測や治療方法の選択など、対象患者に対する医師の意思決定を支援することができる。【０００３】
例えば、標準的な診療プロセスであるクリニカルパスを生成し提示するクリニカルパス運用支援システムが提案されている。提案のクリニカルパス運用支援システムは、データベースに登録された様々な症例を複数の症例グループに分類し、症例グループ毎にクリニカルパスを生成しておく。クリニカルパス運用支援システムは、対象患者の臨床情報に類似する症例グループを検索し、当該症例グループに対応するクリニカルパスを提示する。【０００４】
また、例えば、類似症例の検索精度を向上させる類似症例検索装置が提案されている。提案の類似症例検索装置は、ユーザが入力した入力症例とデータベースに登録された各症例との類似性を第１の照合基準に従って判定し、入力症例に類似した類似症例の集合を抽出する。類似症例検索装置は、抽出した類似症例に関する特徴の統計情報を算出し、抽出した類似症例と統計情報とをユーザに提示する。類似症例検索装置は、ユーザから第２の照合基準の入力を受け付け、第２の照合基準に従って類似症例を絞り込む。【０００５】
また、例えば、医療画像に基づいて対象患者の診療計画を策定することを支援する治療計画支援システムが提案されている。提案の治療計画支援システムは、対象患者の臨床情報に類似する類似症例を検索し、類似症例で撮像された医療画像をデータベースから抽出する。治療計画支援システムは、抽出した類似症例の医療画像に基づいて、対象患者の疾患部分の変化予測を示す予測医療画像を生成して表示する。
【先行技術文献】
【特許文献】
【０００６】
【特許文献１】特開２００３−３３１０５５号公報
【特許文献２】特開２００８−４７１５４号公報
【特許文献３】特開２０１１−５０８３３１号公報
【特許文献４】特開２０１４−２３３６１１号公報
【発明の概要】
【発明が解決しようとする課題】
【０００７】
上記のように、情報処理システムがデータベースから類似症例を検索して分析することは、医師による対象患者の診療を支援する上で有用である。しかし、医療機関毎にデータベースを作成すると、ある医療機関（例えば、大規模病院）では蓄積される症例が多いのに対し、別の医療機関（例えば、小規模診療所）では蓄積される症例が少ないことがある。データベースに蓄積される症例が少ないと、類似症例分析の精度が低くなり分析結果の有用性が低下するおそれがある。一方で、ある医療機関で診療を受けた患者の臨床情報そのものを当該医療機関の外部に存在するデータベースに登録して共有することは、個人情報保護やセキュリティの観点から好ましくない場合がある。【０００８】
１つの側面では、本発明は、精度の高い類似症例分析結果を取得できるようにする類似症例検索プログラム、類似症例検索装置および類似症例検索方法を提供することを目的とする。
【課題を解決するための手段】
【０００９】
１つの態様では、コンピュータに以下の処理を実行させる類似症例検索プログラムが提供される。第１の患者の患者データに関して分析された病態進行状況または治療効果を示す分析結果と、病態進行状況または治療効果の分析の際に参照された複数の第２の患者の患者データに含まれる変数の値の分布を示す変数統計情報と、をそれぞれ含む複数の分析履歴を取得する。第３の患者の患者データの指定を受け付ける。第３の患者の患者データに含まれる変数の値と複数の分析履歴それぞれの変数統計情報が示す変数の値の分布との比較に基づいて、複数の分析履歴それぞれのスコアを算出し、スコアに応じて複数の分析履歴のうち一部の分析履歴の分析結果を出力する。【００１０】
また、１つの態様では、記憶部と処理部とを有する類似症例検索装置が提供される。また、１つの態様では、コンピュータが実行する類似症例検索方法が提供される。
【発明の効果】
【００１１】
１つの側面では、精度の高い類似症例分析結果を取得できる。
本発明の上記および他の目的、特徴および利点は本発明の例として好ましい実施の形態を表す添付の図面と関連した以下の説明により明らかになるであろう。
【図面の簡単な説明】
【００１２】
【図１】第１の実施の形態の類似症例検索装置の例を示す図である。
【図２】第２の実施の形態の情報処理システムの例を示す図である。
【図３】サーバ装置のハードウェア例を示すブロック図である。
【図４】サーバ装置の機能例を示すブロック図である。
【図５】臨床情報テーブルの例を示す図である。
【図６】関連変数テーブルの例を示す図である。
【図７】病態進行予測テーブルの例を示す図である。
【図８】症例統計テーブルの例を示す図である。
【図９】病態進行グラフの例を示す図である。
【図１０】治療効果予測テーブルの例を示す図である。
【図１１】治療別症例統計テーブルの例を示す図である。
【図１２】治療効果グラフの例を示す図である。
【図１３】検索結果画面の例を示す図である。
【図１４】類似症例検索の手順例を示すフローチャートである。
【図１５】類似症例検索の手順例を示すフローチャート（続き）である。
【図１６】分析結果再利用の手順例を示すフローチャートである。
【発明を実施するための形態】
【００１３】
以下、本実施の形態を図面を参照して説明する。
［第１の実施の形態］
第１の実施の形態を説明する。
【００１４】
図１は、第１の実施の形態の類似症例検索装置の例を示す図である。
第１の実施の形態の類似症例検索装置１０は、医師による患者の診療を支援する情報処理システムに用いられる。特に、類似症例検索装置１０は、対象患者の患者データに類似する他の患者の患者データを参照して得られる知見を活用できるようにする。
【００１５】
例えば、類似症例検索装置１０は、以下のような場面において使用される。大規模病院など蓄積した症例が多い医療機関では、対象患者の患者データに類似する他の患者の患者データ（類似症例）をデータベースから検索し、検索された類似症例を参照して対象患者の診療に有用な分析結果を得ることができる。分析結果には、対象患者の病態進行予測に関する情報や、ある治療方法を選択した場合の治療効果予測に関する情報などが含まれることもある。しかし、小規模診療所など蓄積した症例が少ない医療機関では、このような類似症例分析の精度が低くなり分析結果の有用性が低下するおそれがある。その一方で、ある医療機関で作成された患者データそのものを他の医療機関と共有することは、個人情報保護やセキュリティの観点から難しい場合がある。
【００１６】
そこで、類似症例検索装置１０は、患者データそのものは共有せず、ある医療機関で行われた類似症例分析の分析履歴を他の医療機関と共有できるようにする。そして、類似症例検索装置１０は、蓄積した症例が少ない医療機関においても、共有される分析履歴の中から対象患者の患者データに適合する分析履歴を検索して参照できるようにする。
【００１７】
類似症例検索装置１０は、記憶部１１および処理部１２を有する。記憶部１１は、ＲＡＭ（Random Access Memory）などの揮発性半導体メモリでもよいし、ＨＤＤ（Hard Disk Drive）やフラッシュメモリなどの不揮発性ストレージでもよい。処理部１２は、例えば、ＣＰＵ（Central Processing Unit）やＤＳＰ（Digital Signal Processor）などのプロセッサである。ただし、処理部１２は、ＡＳＩＣ（Application Specific Integrated Circuit）やＦＰＧＡ（Field Programmable Gate Array）などの特定用途の電子回路を含んでもよい。プロセッサは、ＲＡＭなどのメモリに記憶されたプログラムを実行する。プログラムには、後述する処理を実行させる類似症例検索プログラムが含まれる。複数のプロセッサの集合を「マルチプロセッサ」または「プロセッサ」と言うこともある。
【００１８】
記憶部１１は、分析履歴１３ａ，１３ｂを含む複数の分析履歴を記憶する。複数の分析履歴はそれぞれ、分析結果と変数統計情報とを含む。分析結果は、対象患者の患者データに関して分析された病態進行状況または治療効果を示す。変数統計情報は、病態進行状況または治療効果を分析する際に参照された他の患者の患者データに含まれる変数の値の分布を示す。変数統計情報は、変数の値の最大値・最小値・平均・中央値・標準偏差などを示してもよい。また、その変数が有限個の離散的な値をとる場合、変数統計情報は、各値の出現割合を示してもよい。分析履歴１３ａは、分析結果１４ａおよび変数統計情報１５ａを含む。分析履歴１３ｂは、分析結果１４ｂおよび変数統計情報１５ｂを含む。
【００１９】
記憶部１１に記憶される複数の分析履歴は、類似症例検索装置１０の外部から取得される。例えば、これら複数の分析履歴は、大規模病院など蓄積した症例が多い医療機関の装置によって生成される。一例として、分析履歴１３ａは以下のようにして生成される。
【００２０】
ある医療機関では、その医療機関が保持するデータベースから、対象患者の患者データ１７に類似する類似症例として患者データ１８ａ，１８ｂなどが検索される。患者データ１７，１８ａ，１８ｂはそれぞれ変数の値を含む。変数には、年齢や性別などの患者の属性項目や、血糖値や血圧などの検査項目が含まれ得る。患者データ１８ａ，１８ｂは、患者データ１７との間の変数の値の類似性に基づいて検索される。分析結果１４ａは、上記データベースを保持する医療機関において、患者データ１８ａ，１８ｂなどを参照して生成される。変数統計情報１５ａは、上記データベースを保持する医療機関において、患者データ１８ａ，１８ｂなどに含まれる変数の値を統計処理して生成される。分析履歴１３ａには、患者データ１７，１８ａ，１８ｂの内容そのものは含まれない。
【００２１】
処理部１２は、別の対象患者の患者データ１９の指定を受け付ける。患者データ１９は、分析履歴１３ａ，１３ｂなどを生成した医療機関とは異なる医療機関から指定され、例えば、小規模診療所など蓄積した症例が少ない医療機関から指定される。類似症例検索装置１０は、患者データ１９を指定する医療機関の外部に設置されていてもよいし、患者データ１９を指定する医療機関が保持していてもよい。類似症例検索装置１０は、例えば、小規模診療所が保持する装置から患者データ１９を受信する。
【００２２】
患者データ１９は、患者データ１７，１８ａ，１８ｂなどと同様に変数の値を含む。処理部１２は、患者データ１９の変数の値と記憶部１１に記憶された複数の分析履歴それぞれの変数統計情報が示す分布とを比較する。例えば、処理部１２は、患者データ１９の変数の値が各変数統計情報が示す分布の範囲内に入っているか判定する。処理部１２は、比較結果に基づいて、各分析履歴のスコアを算出する。分析履歴１３ａに対してはスコア１６ａが算出され、分析履歴１３ｂに対してはスコア１６ｂが算出される。
【００２３】
処理部１２は、算出したスコアに応じて、記憶部１１に記憶された複数の分析履歴のうち一部の分析履歴を選択し、選択した分析履歴に含まれる分析結果を出力する。例えば、処理部１２は、スコアが閾値以上である分析履歴の分析結果またはスコアが高い方から所定個の分析履歴の分析結果を出力する。分析履歴１３ａのスコアが最も高い場合、少なくとも分析結果１４ａが出力される。出力された分析結果は、例えば、患者データ１９に対する応答として患者データ１９を指定した装置に送信される。
【００２４】
第１の実施の形態の類似症例検索装置１０によれば、過去の類似症例分析で生成された分析結果に対して、その際に参照された類似症例の特徴を示す変数統計情報が付加されて分析履歴として蓄積される。そして、対象患者の患者データと変数統計情報とが比較され、対象患者に適合する過去の分析結果が抽出される。
【００２５】
これにより、手元のデータベースに十分な症例が蓄積されていなくても、精度の高い分析結果を取得できるようになる。例えば、蓄積した症例が多い医療機関で行われた類似症例分析の分析結果のうち別の対象患者に適合する分析結果を、蓄積した症例が少ない医療機関が取得することが可能となる。また、各分析履歴には、その分析履歴を生成した際に使用された対象患者の患者データや類似症例の患者データそのものは含まれない。よって、ある医療機関で作成された患者データそのものを当該医療機関の外部に提供しなくてよく、個人情報保護やセキュリティを向上させることができる。
【００２６】
［第２の実施の形態］
次に、第２の実施の形態を説明する。
図２は、第２の実施の形態の情報処理システムの例を示す図である。
【００２７】
第２の実施の形態の情報処理システムは、医師による患者の診療を支援する医療用情報処理システムである。この情報処理システムは、個人情報保護やセキュリティを考慮しつつ、複数の医療機関の間で有用な情報を共有できるようにする。
【００２８】
第２の実施の形態の情報処理システムは、端末装置３１，４１およびサーバ装置１００，２００を含む。端末装置３１およびサーバ装置１００は、医療機関３０に設置されている。端末装置４１は、医療機関４０に設置されている。サーバ装置２００は、データセンタなど医療機関３０，４０の外部の施設に設置されている。端末装置４１やサーバ装置１００は、ネットワーク５０を介してサーバ装置２００にアクセスすることができる。ネットワーク５０は、例えば、インターネットなどの広域データネットワークである。
【００２９】
医療機関３０は、例えば、大規模病院など多数の患者の臨床情報を保持している医療機関である。端末装置３１は、医療機関３０内で医師などの医療従事者が使用する端末装置であり、例えば、クライアントコンピュータである。端末装置３１は、医療機関３０のローカルネットワークを介してサーバ装置１００にアクセスすることができる。サーバ装置１００は、医療機関３０で診療を受けている患者の臨床情報を格納したデータベースを管理するサーバ装置であり、例えば、サーバコンピュータである。
【００３０】
サーバ装置１００は、端末装置３１からの要求に応じて類似症例分析を行う。類似症例分析では、サーバ装置１００は、端末装置３１から対象患者の指定を受け付ける。すると、サーバ装置１００は、対象患者の臨床情報に類似する他の患者の臨床情報を類似症例として、サーバ装置１００のデータベースから検索する。サーバ装置１００は、類似症例を参照して対象患者の今後の病態進行および治療効果を予測し、予測結果を端末装置３１に提供する。これにより、対象患者に対する治療方法の選択などの意思決定を支援することができる。また、サーバ装置１００は、類似症例分析を行う毎に、病態進行予測結果や治療効果予測結果をサーバ装置２００に送信する。サーバ装置１００とサーバ装置２００との間の通信は、暗号処理技術によって保護されていてもよい。
【００３１】
医療機関４０は、例えば、小規模診療所など医療機関３０と比べて少数の患者の臨床情報を保持している医療機関である。端末装置４１は、医療機関４０内で医師などの医療従事者が使用する端末装置であり、例えば、クライアントコンピュータである。端末装置４１は、医療機関４０で診療を受けている患者の臨床情報を記憶する。ただし、医療機関３０と同様にサーバ装置が臨床情報のデータベースを管理してもよい。
【００３２】
ここで、医療機関４０では蓄積している臨床情報が少ないため、医療機関４０が保持する臨床情報のみを用いて医療機関３０と同様の類似症例分析を行っても、病態進行予測結果や治療効果予測結果の精度が低くなるおそれがある。そこで、端末装置４１は、医療機関４０で診療を受けている対象患者に適合する可能性の高い病態進行予測結果や治療効果予測結果を、サーバ装置２００から取得する。すなわち、第２の実施の形態の情報処理システムは、サーバ装置２００を介して、医療機関３０で生成された病態進行予測結果や治療効果予測結果を再利用できるようにする。これにより、医療機関４０の対象患者についても治療方法の選択などの意思決定を支援することができる。
【００３３】
なお、サーバ装置２００は、第１の実施の形態の類似症例検索装置１０に対応する。第２の実施の形態で説明する「臨床情報」は、第１の実施の形態の患者データに対応する。
次に、サーバ装置１００，２００のハードウェアおよびソフトウェアを説明する。
【００３４】
図３は、サーバ装置のハードウェア例を示すブロック図である。
サーバ装置１００は、ＣＰＵ１０１、ＲＡＭ１０２、ＨＤＤ１０３、画像信号処理部１０４、入力信号処理部１０５、媒体リーダ１０６および通信インタフェース１０７を有する。サーバ装置１００が有する上記ユニットは、バスに接続されている。
【００３５】
ＣＰＵ１０１は、プログラムの命令を実行する演算回路を含むプロセッサである。ＣＰＵ１０１は、ＨＤＤ１０３に記憶されたプログラムやデータの少なくとも一部をＲＡＭ１０２にロードし、プログラムを実行する。なお、ＣＰＵ１０１は複数のプロセッサコアを備えてもよく、サーバ装置１００は複数のプロセッサを備えてもよく、以下で説明する処理を複数のプロセッサまたはプロセッサコアを用いて並列に実行してもよい。また、複数のプロセッサの集合を「マルチプロセッサ」または「プロセッサ」と言うことがある。
【００３６】
ＲＡＭ１０２は、ＣＰＵ１０１が実行するプログラムやＣＰＵ１０１が演算に用いるデータを一時的に記憶する揮発性の半導体メモリである。なお、サーバ装置１００は、ＲＡＭ以外の種類のメモリを備えてもよく、複数個のメモリを備えてもよい。
【００３７】
ＨＤＤ１０３は、ＯＳ（Operating System）やミドルウェアやアプリケーションソフトウェアなどのソフトウェアのプログラム、および、データを記憶する不揮発性の記憶装置である。なお、サーバ装置１００は、フラッシュメモリやＳＳＤ（Solid State Drive）などの他の種類の記憶装置を備えてもよく、複数の不揮発性の記憶装置を備えてもよい。
【００３８】
画像信号処理部１０４は、ＣＰＵ１０１からの命令に従って、サーバ装置１００に接続されたディスプレイ１０４ａに画像を出力する。ディスプレイ１０４ａとしては、ＣＲＴ（Cathode Ray Tube）ディスプレイ、液晶ディスプレイ（ＬＣＤ：Liquid Crystal Display）、プラズマディスプレイ、有機ＥＬ（ＯＥＬ：Organic Electro-Luminescence）ディスプレイなど様々な種類のディスプレイを用いることができる。
【００３９】
入力信号処理部１０５は、サーバ装置１００に接続された入力デバイス１０５ａから入力信号を取得し、ＣＰＵ１０１に出力する。入力デバイス１０５ａとしては、マウスやタッチパネルやタッチパッドやトラックボールなどのポインティングデバイス、キーボード、リモートコントローラ、ボタンスイッチなどを用いることができる。また、サーバ装置１００に、複数の種類の入力デバイスが接続されていてもよい。
【００４０】
媒体リーダ１０６は、記録媒体１０６ａに記録されたプログラムやデータを読み取る読み取り装置である。記録媒体１０６ａとして、例えば、磁気ディスク、光ディスク、光磁気ディスク（ＭＯ：Magneto-Optical disk）、半導体メモリなどを使用できる。磁気ディスクには、フレキシブルディスク（ＦＤ：Flexible Disk）やＨＤＤが含まれる。光ディスクには、ＣＤ（Compact Disc）やＤＶＤ（Digital Versatile Disc）が含まれる。
【００４１】
媒体リーダ１０６は、例えば、記録媒体１０６ａから読み取ったプログラムやデータを、ＲＡＭ１０２やＨＤＤ１０３などの他の記録媒体にコピーする。読み取られたプログラムは、例えば、ＣＰＵ１０１によって実行される。なお、記録媒体１０６ａは可搬型記録媒体であってもよく、プログラムやデータの配布に用いられることがある。また、記録媒体１０６ａやＨＤＤ１０３を、コンピュータ読み取り可能な記録媒体と言うことがある。
【００４２】
通信インタフェース１０７は、ネットワーク５０に接続され、ネットワーク５０を介して他の装置と通信を行うインタフェースである。通信インタフェース１０７は、好ましくは、スイッチなどの通信装置とケーブルで接続される有線通信インタフェースである。ただし、基地局と無線リンクで接続される無線通信インタフェースを用いてもよい。
【００４３】
なお、端末装置３１，４１やサーバ装置２００も、サーバ装置１００と同様のハードウェアを用いて実装することができる。サーバ装置２００が有するＣＰＵは、第１の実施の形態で説明した処理部１２に対応する。サーバ装置２００が有するＲＡＭまたはＨＤＤは、第１の実施の形態で説明した記憶部１１に対応する。
【００４４】
図４は、サーバ装置の機能例を示すブロック図である。
サーバ装置１００は、臨床情報データベース１１１、関連変数記憶部１１２、類似症例検索部１１３、病態進行予測部１１４、治療効果予測部１１５、病態進行ライブラリ生成部１１６および治療効果ライブラリ生成部１１７を有する。臨床情報データベース１１１および関連変数記憶部１１２は、例えば、ＲＡＭ１０２またはＨＤＤ１０３に確保した記憶領域を用いて実装される。類似症例検索部１１３、病態進行予測部１１４、治療効果予測部１１５、病態進行ライブラリ生成部１１６および治療効果ライブラリ生成部１１７は、例えば、ＣＰＵ１０１が実行するプログラムモジュールを用いて実装される。
【００４５】
臨床情報データベース１１１は、複数の患者それぞれの臨床情報を記憶する。臨床情報は、医師などの医療従事者によって入力される。各患者の臨床情報は、複数の変数の値を含む。変数としては、性別や年齢など患者の属性を示す属性項目、血糖値や血圧など測定または診断によって値が得られる検査項目、治療方法の採用の有無を示す項目、無再発期間など患者の病態変化を示す項目などが存在する。
【００４６】
関連変数記憶部１１２は、２つの変数の間の関連性を示す関連変数情報を記憶する。２つの変数の間の関連性は、一方の変数がとる値と他方の変数がとる値との間の相関関係から判断することができる。相関関係が強いほど関連性が大きいと言える。ある変数にとって、関連性の大きい他の変数のことを関連変数と言うことができる。ある変数に対して何れの変数が関連変数になるかは、各変数の性質から予め定義しておいてもよい。また、ある変数に対して何れの変数が関連変数になるかは、サーバ装置１００が、臨床情報データベース１１１に記憶された臨床情報を分析することで判定してもよい。
【００４７】
臨床情報から２つの変数の間の関連性を判定するアルゴリズムとしては、各変数が有限個の離散的値をとるか否かに応じて適切なアルゴリズムが選択される。一例として、以下のようなアルゴリズムを使用することができる。Ｐｅａｒｓｏｎのカイ二乗検定。Ｆｉｓｈｅｒの直接確率検定。Ｍａｎｎ−Ｗｈｉｔｎｅｙ−Ｗｉｌｃｏｘｏｎ検定。Ｓｔｕｄｅｎｔのｔ検定。Ｗｅｌｃｈのｔ検定。Ｋｒｕｓｋａｌ−Ｗａｌｌｉｓ検定。分散分析（ＡＮＯＶＡ：Analysis Of Variance）。Ｋｅｎｄａｌｌの順位相関係数を用いる方法。Ｓｐｅａｒｍａｎの順位相関係数を用いる方法。Ｐｅａｒｓｏｎの積率相関係数を用いる方法。ＭＩＣ（Maximal Information Coefficient）を用いる方法。上記のようなアルゴリズムによって、関連性の指標値としてｐ値または相関係数が算出される。関連性の指標値が所定の閾値または入力された閾値以上である変数の組が、関連性が大きいと判定される。
【００４８】
類似症例検索部１１３は、端末装置３１からの要求に応じて、臨床情報データベース１１１から対象患者の臨床情報に類似する類似症例を検索する。このとき、類似症例検索部１１３は、対象患者の指定と併せて変数の指定を端末装置３１から受け付ける。類似症例検索部１１３は、関連変数記憶部１１２に記憶された関連変数情報を参照して、指定された変数に対応する関連変数を特定し、指定された変数とその関連変数を選択する。
【００４９】
類似症例検索部１１３は、各臨床情報に含まれる様々な変数の値のうち選択した変数の値のみを用いて、対象患者の臨床情報との間の類似度を算出する。これは、各臨床情報には対象患者の疾患に関係しない雑多な変数の値が含まれているため、全ての変数の値を用いて類似度を算出するとその精度が低下するおそれがあるためである。医師などの医療従事者は、対象患者の疾患に関係する１以上の変数を選択することで、着目する疾患の観点から類似症例を見つけることができる。ただし、類似度の算出に使用する変数の全てを医療従事者が明示的に指定することは煩雑であるため、指定された変数に関連する関連変数が検索されて関連変数も類似度の算出に使用される。
【００５０】
類似度としては、例えば、Ｐｅａｒｓｏｎの積率相関係数、Ｋｅｎｄａｌｌの順位相関係数、Ｓｐｅａｒｍａｎの順位相関係数、コサイン類似度、ＭＩＣなどを用いることができる。選択された変数の値が対象患者のものに近い臨床情報ほど類似度は高くなる。そして、類似症例検索部１１３は、類似度が所定の閾値または端末装置３１から入力された閾値以上である臨床情報を、対象患者の臨床情報に類似する類似症例に分類する。一方、類似症例検索部１１３は、他の臨床情報を比較症例に分類する。
【００５１】
病態進行予測部１１４は、類似症例の集合と比較症例の集合とを対比して分析することで、対象患者の今後の病態進行を予測した病態進行予測結果を生成する。病態進行の予測には、類似症例および比較症例に含まれる病態変化に関する変数の値を使用する。以降説明する例では、病態変化に関する変数として、治療開始日や完治日などの基準日から疾患が再発せずに経過した日数である無再発期間を使用するものとする。
【００５２】
病態進行予測結果には、後述する病態進行グラフと予測予後が含まれる。病態進行グラフは、類似症例に対応する曲線と比較症例に対応する曲線とを含む。類似症例に対応する曲線上の座標（ｘ，ｙ）は、類似症例のうち基準日からｘ日経過した時点で疾患が再発していない症例の割合がｙ％であることを示している。比較症例に対応する曲線上の座標（ｘ，ｙ）は、比較症例のうち基準日からｘ日経過した時点で疾患が再発していない症例の割合がｙ％であることを示している。この２つの曲線は単調減少曲線である。予測予後は、対象患者の予後が「良好」、「不良」、「不明」の何れであるか予測した結果である。類似症例の無再発期間が比較症例より有意に長い場合、予測予後は「良好」になる。類似症例の無再発期間が比較症例より有意に短い場合、予測予後は「不良」になる。類似症例と比較症例の間に無再発期間の有意な差がない場合、予測予後は「不明」になる。病態進行予測部１１４は、病態進行予測結果を端末装置３１に送信して表示させる。
【００５３】
治療効果予測部１１５は、端末装置３１から治療方法に関する１以上の変数の指定を受け付ける。すると、治療効果予測部１１５は、指定された変数の値に基づいて各類似症例がどの様な治療方法を採用しているか判定し、類似症例を治療方法に応じて複数のグループに分類する。分類基準として使用する治療方法の変数は、医師などの医療従事者が選択することになる。そして、治療効果予測部１１５は、グループ毎に、当該グループに属する類似症例と他の類似症例とを対比して分析することで、その治療方法を選択した場合の対象患者の今後の病態進行を予測した治療効果予測結果を生成する。
【００５４】
治療効果の予測には、類似症例に含まれる病態変化に関する変数の値を使用する。以降説明する例では無再発期間を使用するものとする。治療効果予測結果には、後述する治療効果グラフと治療方法毎の予測予後が含まれる。治療効果グラフは、複数の治療方法に対応する複数の曲線を含む。ある治療方法に対応する曲線上の座標（ｘ，ｙ）は、その治療方法が採用された類似症例のうち基準日からｘ日経過した時点で疾患が再発していない症例の割合がｙ％であることを示している。各曲線は単調減少曲線である。予測予後は、ある治療方法を採用した場合の対象患者の予後が「良好」、「不良」、「不明」の何れであるか予測した結果である。ある治療方法に対応する予後を予測するために使用する比較症例は、それ以外の治療方法を採用した類似症例である。治療効果予測部１１５は、治療効果予測結果を端末装置３１に送信して表示させる。
【００５５】
病態進行ライブラリ生成部１１６は、病態進行予測部１１４が病態進行予測結果を生成するために使用した類似症例の統計情報を生成する。統計情報は、類似症例検索部１１３が類似度の算出に使用した変数（端末装置３１から指定された変数およびその関連変数）それぞれについて、類似症例の間の値の分布を示す。変数の値の分布は、最大値・最小値・平均・標準偏差・中央値などによって表現されることがある。また、変数の値の分布は、各値の出現割合によって表現されることがある。そして、病態進行ライブラリ生成部１１６は、病態進行予測部１１４が生成した病態進行予測結果とその統計情報を対応付けて、病態進行予測ライブラリの情報としてサーバ装置２００に送信する。
【００５６】
治療効果ライブラリ生成部１１７は、治療方法に対応するグループ毎に、治療効果予測部１１５が治療効果予測結果を生成するために使用した類似症例の統計情報を生成する。統計情報は、類似症例検索部１１３が類似度の算出に使用した変数それぞれについて、各グループに属する類似症例の間の値の分布を示す。そして、治療効果ライブラリ生成部１１７は、治療効果予測部１１５が生成した治療効果予測結果とその統計情報を対応付けて、治療効果予測ライブラリの情報としてサーバ装置２００に送信する。
【００５７】
サーバ装置２００は、ライブラリ記憶部２１１、ライブラリ登録部２１２、病態進行ライブラリ検索部２１３および治療効果ライブラリ検索部２１４を有する。ライブラリ記憶部２１１は、例えば、サーバ装置２００が有するＲＡＭまたはＨＤＤに確保した記憶領域を用いて実装される。ライブラリ登録部２１２、病態進行ライブラリ検索部２１３および治療効果ライブラリ検索部２１４は、例えば、サーバ装置２００が有するＣＰＵが実行するプログラムモジュールを用いて実装される。
【００５８】
ライブラリ記憶部２１１は、病態進行予測ライブラリおよび治療効果予測ライブラリを記憶する。病態進行予測ライブラリは、何れかの医療機関（医療機関３０またはこれに相当する他の医療機関）で生成された病態進行予測結果と当該病態進行予測結果の生成時に参照された類似症例の統計情報との組を蓄積したものである。治療効果予測ライブラリは、何れかの医療機関で生成された治療効果予測結果と当該治療効果予測結果の生成時に参照された類似症例の統計情報との組を蓄積したものである。病態進行予測ライブラリおよび治療効果予測ライブラリには、対象患者の臨床情報そのものや参照された類似症例そのものなど患者個人を特定できるような情報は含まれない。
【００５９】
ライブラリ登録部２１２は、サーバ装置１００（または、他の医療機関のサーバ装置）から、類似症例分析の履歴として統計情報が付加された病態進行予測結果を受信する。すると、ライブラリ登録部２１２は、病態進行予測結果をライブラリ記憶部２１１内の病態進行予測ライブラリに追加する。また、ライブラリ登録部２１２は、サーバ装置１００（または、他の医療機関のサーバ装置）から、類似症例分析の履歴として統計情報が付加された治療効果予測結果を受信する。すると、ライブラリ登録部２１２は、治療効果予測結果をライブラリ記憶部２１１内の治療効果予測ライブラリに追加する。
【００６０】
病態進行ライブラリ検索部２１３は、端末装置４１（または、他の端末装置）から対象患者の臨床情報を取得する。すると、病態進行ライブラリ検索部２１３は、ライブラリ記憶部２１１内の病態進行予測ライブラリに含まれる統計情報と対象患者の臨床情報に含まれる変数の値とを比較して、各病態進行予測結果の一致率を算出する。病態進行ライブラリ検索部２１３は、病態進行予測ライブラリに含まれる病態進行予測結果を一致率の降順にソートし、一致率が大きい方から所定数の病態進行予測結果または一致率が閾値以上の病態進行予測結果を抽出する。病態進行ライブラリ検索部２１３は、抽出した病態進行予測結果のリストを端末装置４１（または、他の端末装置）に対して出力する。
【００６１】
治療効果ライブラリ検索部２１４は、端末装置４１（または、他の端末装置）から対象患者の臨床情報を取得する。すると、治療効果ライブラリ検索部２１４は、ライブラリ記憶部２１１内の治療効果予測ライブラリに含まれる統計情報と対象患者の臨床情報に含まれる変数の値とを比較して、各治療効果予測結果の一致率を算出する。治療効果ライブラリ検索部２１４は、治療効果予測ライブラリに含まれる治療効果予測結果を一致率の降順にソートし、一致率が大きい方から所定数の治療効果予測結果または一致率が閾値以上の治療効果予測結果を抽出する。治療効果ライブラリ検索部２１４は、抽出した治療効果予測結果のリストを端末装置４１（または、他の端末装置）に対して出力する。
【００６２】
なお、端末装置４１などから取得する対象患者の臨床情報には、医療機関４０の医師などの医療従事者が指定した変数の値のみが含まれる。一方、各病態進行予測結果および治療効果予測結果に付加された統計情報は、類似症例の検索に使用された変数についての分布のみ示している。そこで、一致率を算出するにあたっては、対象患者の臨床情報と統計情報とに共通して存在する変数について値を比較することになる。
【００６３】
図５は、臨床情報テーブルの例を示す図である。
臨床情報テーブル１２１は、臨床情報データベース１１１に記憶されている。臨床情報テーブル１２１は、患者ＩＤの項目および複数の変数を有する。変数には、患者の属性を示す変数、測定または診断により得られる検査値を示す変数、治療方法を示す変数、病態変化を示す変数などが含まれる。属性を示す変数の例として、臨床情報テーブル１２１は性別および年齢の項目を有する。検査値を示す変数の例として、臨床情報テーブル１２１は運動頻度、ＨｂＡ１ｃおよびｅＧＦＲの項目を有する。治療方法を示す変数の例として、臨床情報テーブル１２１はインスリン治療およびＧＬＰ１治療の項目を有する。病態変化を示す変数の例として、臨床情報テーブル１２１は無再発期間の項目を有する。
【００６４】
患者ＩＤの項目には、患者の識別情報が登録される。性別の項目には、「男性」または「女性」が登録される。年齢の項目には、年齢を示す非負整数が登録される。運動頻度の項目には、運動の頻度を示す「少ない」、「普通」または「多い」が登録される。ＨｂＡ１ｃの項目には、血液中のブドウ糖が結合したヘモグロビンの濃度を示す非負実数が登録される。ｅＧＦＲの項目には、腎臓の老廃物排出能力を示す非負実数が登録される。
【００６５】
インスリン治療の項目には、治療方法としてインスリン注射が行われているか否かを示すフラグが登録される。「１」はインスリン注射が行われていることを示し、「０」はインスリン注射が行われていないことを示す。ＧＬＰ１治療の項目には、治療方法としてＧＬＰ１注射が行われているか否かを示すフラグが登録される。「１」はＧＬＰ１注射が行われていることを示し、「０」はＧＬＰ１注射が行われていないことを示す。なお、治療方法としてインスリン注射とＧＬＰ１注射が併用されることもある。無再発期間の項目には、基準日から疾患が再発せずに経過した日数が登録される。
【００６６】
ここで、臨床情報に含まれる様々な変数は、比例尺度、間隔尺度、順序尺度および名義尺度に分類することができる。比例尺度は、２つの値（例えば、同じ患者の異なる時点の値）を比較するにあたり、両者の差だけでなく両者の比にも意味のある変数である。比例尺度の例として体重が挙げられる。間隔尺度は、２つの値を比較するにあたり、両者の差のみに意味があり両者の比には意味がない変数である。間隔尺度の例として体温が挙げられる。順序尺度は、２つの値を比較するにあたり、両者の大小関係のみに意味があり両者の差や比には意味がない変数である。順序尺度の例として疾患の進行度を示すステージが挙げられる。名義尺度は、単なる区分を示しており異なる値を比較することに意味がない変数である。名義尺度の例として血液型が挙げられる。
【００６７】
図６は、関連変数テーブルの例を示す図である。
関連変数テーブル１２２は、関連変数記憶部１１２に記憶されている。関連変数テーブル１２２は、変数および関連変数の項目を有する。変数の項目には、類似症例を検索する際に端末装置３１から指定されることのある変数の変数名が登録される。関連変数の項目には、指定された変数に関連する１以上の他の変数の変数名が登録される。前述のように、変数と関連変数との対応は、各変数の性質に基づいて人手で定義することもできるし、臨床情報テーブル１２１を分析することでサーバ装置１００が算出することもできる。
【００６８】
図７は、病態進行予測テーブルの例を示す図である。
病態進行予測テーブル２２１は、ライブラリ記憶部２１１に記憶されている。病態進行予測テーブル２２１の内容は、病態進行予測ライブラリに相当する。病態進行予測テーブル２２１は、分析ＩＤ、変数選択数、類似症例数、比較症例数、類似症例の中央値、比較症例の中央値、ｐ値、予測予後およびグラフの項目を有する。
【００６９】
分析ＩＤの項目には、実行された類似症例分析を識別する識別情報が登録される。変数選択数の項目には、類似症例を検索する際に選択された変数（指定された変数およびその関連変数）の数が登録される。類似症例数の項目には、対象患者の臨床情報に類似すると判定された類似症例の数が登録される。比較症例数の項目には、類似症例以外の症例（対象患者の臨床情報に類似しないと判定された症例）である比較症例の数が登録される。
【００７０】
類似症例の中央値の項目には、類似症例の無再発期間の中央値が登録される。類似症例の無再発期間の中央値は、類似症例を無再発期間の昇順または降順にソートしたときに、上から５０％の順位（例えば、類似症例数が１００である場合は５０番目）の類似症例の無再発期間である。比較症例の中央値の項目には、比較症例の無再発期間の中央値が登録される。比較症例の無再発期間の中央値は、比較症例を無再発期間の昇順または降順にソートしたときに、上から５０％の順位の類似症例の無再発期間である。
【００７１】
ｐ値の項目には、症例が属するグループ（症例が類似症例であるか比較症例であるか）とその症例の無再発期間との間の相関関係を示す指標値が登録される。ｐ値は０以上１以下の実数である。類似症例と比較症例の間で無再発期間に有意な差があるほどｐ値は小さくなる。予測予後の項目には、予後として「良好」、「不良」および「不明」の何れかが登録される。グラフの項目には、後述する病態進行グラフを示す画像が登録される。
【００７２】
予後は以下のように予測することができる。ｐ値が閾値（例えば、０．０５）以下であり、かつ、類似症例の中央値が比較症例の中央値より大きい場合、予後は「良好」であると予測される。ｐ値が閾値以下であり、かつ、類似症例の中央値が比較症例の中央値以下である場合、予後は「不良」であると予測される。ｐ値が閾値より大きい場合、予後は「不明」であると予測される。すなわち、対象患者に類似する症例の無再発期間が他の症例よりも有意に長い場合、予後は良好である。また、対象患者に類似する症例の無再発期間が他の症例よりも有意に短い場合、予後は不良である。
【００７３】
図８は、症例統計テーブルの例を示す図である。
症例統計テーブル２２２は、病態進行予測テーブル２２１と関連付けられてライブラリ記憶部２１１に記憶されている。症例統計テーブル２２２は、分析ＩＤ、変数名、変数タイプおよび分布の項目を有する。分析ＩＤの項目には、病態進行予測テーブル２２１の何れかのレコードに対応する分析ＩＤが登録される。変数名の項目には、類似症例の検索の際に選択された変数の名称が登録される。変数タイプの項目には、変数の種類として「比例尺度」、「間隔尺度」、「順序尺度」および「名義尺度」の何れかが登録される。変数タイプは変数名から判断することができる。サーバ装置１００またはサーバ装置２００は、変数名と変数タイプの対応関係を示す情報を保持していてもよい。
【００７４】
分布の項目には、類似症例に含まれる変数の値の分布を特定するための情報が登録される。変数タイプが比例尺度または間隔尺度である変数については、最大値・最小値・平均・標準偏差・中央値などが登録される。第１四分位数（分布の下から２５％に位置する値）や第３四分位数（分布の下から７５％に位置する値）などが更に登録されてもよい。例えば、ＨｂＡ１ｃについて、最大値ｍａｘ＝１３、最小値ｍｉｎ＝７、平均μ＝８．７７、標準偏差σ＝０．６５が分布情報として登録される。変数タイプが順序尺度または名義尺度である変数については、各値の出現割合が登録される。例えば、性別について、男性＝７０％、女性＝３０％が分布情報として登録される。
【００７５】
症例統計テーブル２２２に登録された統計情報は、病態進行予測ライブラリを利用する際に対象患者の臨床情報と比較される。病態進行ライブラリ検索部２１３は、統計情報と対象患者の臨床情報とに共通して現れる変数毎に一致率を算出する。
【００７６】
変数タイプが比例尺度または間隔尺度である変数については、病態進行ライブラリ検索部２１３は、対象患者の値が統計情報の分布が示す範囲に属しているか判定する。例えば、病態進行ライブラリ検索部２１３は、対象患者の値が最大値と最小値の間に収まっているか判定する。ただし、分布中の異常値が除去されるように、標準偏差などを用いて基準上限値と基準下限値を決定し、対象患者の値が基準上限値と基準下限値の間に収まっているか判定してもよい。対象患者の値が統計情報の分布が示す範囲に属している場合はその変数の一致率が「１」になり、属していない場合はその変数の一致率が「０」になる。
【００７７】
変数タイプが順序尺度または名義尺度である変数については、病態進行ライブラリ検索部２１３は、対象患者の値に対応する出現割合をその変数の一致率とみなす。例えば、図８に示すように性別の分布が男性＝７０％、女性＝３０％である場合、性別が男性である対象患者にとっての一致率は「０．７」となる。
【００７８】
そして、病態進行ライブラリ検索部２１３は、統計情報と対象患者の臨床情報とに共通して現れる各変数の一致率から、その統計情報に対応する病態進行予測結果と対象患者の臨床情報との間の全体の一致率を算出する。全体の一致率を算出する算出式の分子は、変数毎の一致率の合計である。全体の一致率を算出する算出式の分母は、統計情報に現れる変数の数（すなわち、病態進行予測テーブル２２１に記載された変数選択数）と対象患者の臨床情報に含まれる変数の数のうち何れか大きい方である。
【００７９】
図９は、病態進行グラフの例を示す図である。
病態進行グラフ２２３は、病態進行予測テーブル２２１のグラフの項目に登録される病態進行グラフの一例である。前述のように、病態進行グラフ２２３の横軸は無再発期間であり、病態進行グラフ２２３の縦軸は症例割合である。病態進行グラフ２２３は、類似症例に対応する単調減少の曲線と比較症例に対応する単調減少の曲線とを含む。類似症例に対応する曲線上の座標（ｘ，ｙ）は、類似症例のうち無再発期間がｘ日以上である症例の割合がｙであることを示している。比較症例に対応する曲線上の座標（ｘ，ｙ）は、比較症例のうち無再発期間がｘ日以上である症例の割合がｙであることを示している。図９の例では、類似症例の無再発期間は比較症例と比べて有意に短い。
【００８０】
図１０は、治療効果予測テーブルの例を示す図である。
治療効果予測テーブル２２４は、ライブラリ記憶部２１１に記憶されている。治療効果予測テーブル２２４の内容は、治療効果予測ライブラリに相当する。治療効果予測テーブル２２４は、分析ＩＤ、治療方法、変数選択数、類似症例数、比較症例数、類似症例の中央値、比較症例の中央値、ｐ値、予測予後およびグラフの項目を有する。
【００８１】
分析ＩＤは病態進行予測テーブル２２１と同様である。治療方法の項目には、採用された治療方法の名称、すなわち、治療方法に応じて類似症例を分類したときの各グループ（治療方法グループ）の名称が登録される。変数選択数は病態進行予測テーブル２２１と同様である。類似症例数の項目には、その治療方法グループに属する症例の数が登録される。比較症例数の項目には、対象患者の臨床情報から検索された類似症例のうち、当該治療方法グループに属さない症例（他の治療方法グループに属する症例）の数が登録される。
【００８２】
類似症例の中央値の項目には、その治療方法グループに属する症例の無再発期間の中央値が登録される。比較症例の中央値の項目には、他の治療方法グループに属する症例の無再発期間の中央値が登録される。ｐ値の項目には、症例がその治療方法グループに属するか否かと無再発期間との間の相関関係を示す指標値が登録される。その治療方法グループと他の治療方法グループの間で無再発期間に有意な差があるほどｐ値は小さくなる。予測予後の項目には、その治療方法を採用した場合に予測される予後が登録される。グラフの項目には、後述する治療効果グラフを示す画像が登録される。
【００８３】
図１１は、治療別症例統計テーブルの例を示す図である。
治療別症例統計テーブル２２５は、治療効果予測テーブル２２４と関連付けられてライブラリ記憶部２１１に記憶されている。治療別症例統計テーブル２２５は、分析ＩＤ、治療方法、変数名、変数タイプおよび分布の項目を有する。分析ＩＤの項目には、治療効果予測テーブル２２４の何れかのレコードに対応する分析ＩＤが登録される。治療方法の項目には、治療効果予測テーブル２２４の何れかのレコードに対応する治療方法が登録される。変数名および変数タイプは症例統計テーブル２２２と同様である。
【００８４】
分布の項目には、その治療方法グループに属する症例に含まれる変数の値の分布を示す情報が登録される。治療別症例統計テーブル２２５に登録された統計情報は、治療効果予測ライブラリを利用する際に対象患者の臨床情報と比較される。治療効果ライブラリ検索部２１４は、統計情報と対象患者の臨床情報とに共通して現れる変数毎に一致率を算出する。変数タイプが比例尺度または間隔尺度である変数については、対象患者の値が統計情報の分布が示す範囲に属している場合は一致率が「１」になり、属していない場合は一致率が「０」になる。変数タイプが順序尺度または名義尺度である変数については、対象患者の値に対応する出現割合をその変数の一致率とみなす。
【００８５】
そして、治療効果ライブラリ検索部２１４は、統計情報と対象患者の臨床情報とに共通して現れる各変数の一致率から、その統計情報に対応する治療効果予測結果と対象患者の臨床情報との間の全体の一致率を算出する。全体の一致率を算出する算出式の分子は、変数毎の一致率の合計である。全体の一致率を算出する算出式の分母は、統計情報に現れる変数の数（すなわち、治療効果予測テーブル２２４に記載された変数選択数）と対象患者の臨床情報に含まれる変数の数のうち何れか大きい方である。なお、１つの治療効果予測結果は、１つの治療方法グループについての予測結果であり、分析ＩＤと治療方法の組によって特定される治療効果予測テーブル２２４の１つのレコードに対応する。
【００８６】
図１２は、治療効果グラフの例を示す図である。
治療効果グラフ２２６は、治療効果予測テーブル２２４のグラフの項目に登録される治療効果グラフの一例である。前述のように、治療効果グラフ２２６の横軸は無再発期間であり、治療効果グラフ２２６の縦軸は症例割合である。治療効果グラフ２２６は、複数の治療方法グループに対応する複数の単調減少の曲線を含む。ある治療方法グループに対応する曲線上の座標（ｘ，ｙ）は、その治療方法グループに属する症例のうち無再発期間がｘ日以上である症例の割合がｙであることを示している。
【００８７】
図９に示した治療効果グラフ２２６は、インスリン注射とＧＬＰ１注射を併用する治療方法、インスリン注射のみ行う治療方法、ＧＬＰ１注射のみ行う治療方法、および、インスリン注射もＧＬＰ１注射も行わない治療方法（経過観察）の効果を示している。図９の例では、インスリン注射とＧＬＰ１注射を併用した場合の無再発期間が最も長い。また、インスリン注射のみ行った場合の無再発期間が２番目に長い。また、経過観察の場合の無再発期間が３番目に長い。ＧＬＰ１注射のみ行った場合の無再発期間が最も短い。
【００８８】
図１３は、検索結果画面の例を示す図である。
前述のように、サーバ装置２００は、端末装置４１から対象患者の臨床情報を受信すると、病態進行予測ライブラリから一致率の高い病態進行予測結果を検索し、治療効果予測ライブラリから一致率の高い治療効果予測結果を検索する。そして、サーバ装置２００は、一致率の高い病態進行予測結果のリストと一致率の高い治療効果予測結果のリストを端末装置４１に送信する。端末装置４１のディスプレイには、病態進行予測結果のリストと治療効果予測結果のリストの一方または両方が表示される。
【００８９】
検索結果画面２２７は、端末装置４１のディスプレイに表示される画面の例である。ここでは、病態進行予測結果のリストのみ表示する場合を示している。治療効果予測結果のリストも、検索結果画面２２７と同様の態様で表示することが可能である。端末装置４１は、ユーザ入力に応じて病態進行予測結果のリストと治療効果予測結果のリストを切り替えて表示するようにしてもよい。また、端末装置４１は、サーバ装置２００から、病態進行予測結果のリストと治療効果予測結果のリストを別個に受信するようにしてもよい。
【００９０】
検索結果画面２２７には、順位、分析ＩＤ、症例数、ｐ値、予測予後、一致率およびグラフの項目を有する一覧表が表示されている。順位は、病態進行予測結果を一致率の高い順にソートしたときの順番である。分析ＩＤは、病態進行予測テーブル２２１に記載されたものである。症例数は、病態進行予測テーブル２２１に記載された類似症例数である。ｐ値および予測予後は、病態進行予測テーブル２２１に記載されたものである。一致率は、病態進行ライブラリ検索部２１３によって算出された一致率である。グラフの項目には、病態進行グラフへのリンクが張られている。このリンクが選択されると、端末装置４１は、サーバ装置２００から取得した病態進行グラフの画像をディスプレイに表示する。
【００９１】
なお、治療効果予測結果を表示する場合、一覧表には治療方法の項目が追加される。また、その場合、症例数はその治療方法グループに属する症例の数を示すことになる。
次に、サーバ装置１００，２００それぞれの処理手順について説明する。
【００９２】
図１４は、類似症例検索の手順例を示すフローチャートである。
（Ｓ１０）類似症例検索部１１３は、端末装置３１から対象患者の指定と１以上の変数の指定を受け付ける。例えば、類似症例検索部１１３は、医師などが入力した対象患者の患者ＩＤと１以上の変数の変数名とを端末装置３１から取得する。
【００９３】
（Ｓ１１）類似症例検索部１１３は、関連変数記憶部１１２に記憶された関連変数テーブル１２２から、ステップＳ１０で指定された変数に対応する関連変数を検索する。類似症例検索部１１３は、指定された変数と関連変数を選択する。
【００９４】
（Ｓ１２）類似症例検索部１１３は、臨床情報データベース１１１に記憶された臨床情報テーブル１２１から、ステップＳ１０で指定された対象患者の臨床情報を抽出する。類似症例検索部１１３は、ステップＳ１１で選択した変数の値に基づいて、対象患者の臨床情報と臨床情報データベース１１１の他の症例それぞれとの間の類似度を算出する。
【００９５】
（Ｓ１３）類似症例検索部１１３は、臨床情報データベース１１１に記憶された他の症例を、ステップＳ１２の類似度に応じて類似症例と比較症例に分類する。例えば、類似症例検索部１１３は、類似度が閾値以上である症例を類似症例と判定し、類似度が閾値未満の症例を比較症例と判定する。閾値は、医師などに入力させてもよい。
【００９６】
（Ｓ１４）病態進行予測部１１４は、類似症例の無再発期間および比較症例の無再発期間を分析して病態進行グラフ２２３を生成する。例えば、病態進行予測部１１４は、類似症例を無再発期間の昇順または降順にソートし、無再発期間がｘ日以上である類似症例の割合ｙを算出して、類似症例に対応する曲線を算出する。また、病態進行予測部１１４は、比較症例を無再発期間の昇順または降順にソートし、無再発期間がｘ日以上である比較症例の割合ｙを算出して、比較症例に対応する曲線を算出する。
【００９７】
（Ｓ１５）病態進行予測部１１４は、類似症例の無再発期間の中央値と比較症例の無再発期間の中央値を算出する。また、病態進行予測部１１４は、類似症例の無再発期間と比較症例の無再発期間との間に有意な差があるか否かを示すｐ値を算出する。そして、病態進行予測部１１４は、類似症例の中央値、比較症例の中央値およびｐ値に基づいて、対象患者の予後（「良好」、「不良」または「不明」）を予測する。病態進行予測部１１４は、病態進行グラフ２２３や予測予後を含む病態進行予測結果を端末装置３１に送信する。
【００９８】
（Ｓ１６）治療効果予測部１１５は、端末装置３１から治療方法に関する変数の指定を受け付ける。例えば、治療効果予測部１１５は、医師などが入力した変数名を取得する。
（Ｓ１７）治療効果予測部１１５は、ステップＳ１６で指定された変数の値に応じて、類似症例を、採用された治療方法が異なる複数の治療方法グループに分類する。なお、複数の処方の組み合わせや経過観察も、１つの治療方法として認識される。
【００９９】
（Ｓ１８）治療効果予測部１１５は、治療方法グループ毎にその治療方法グループに属する症例の無再発期間を分析し、治療効果グラフ２２６を生成する。例えば、治療効果予測部１１５は、治療方法グループ毎に症例を無再発期間の昇順または降順にソートし、その治療方法グループに属する症例のうち無再発期間がｘ日以上である症例の割合ｙを算出して、その治療方法グループに対応する曲線を算出する。
【０１００】
（Ｓ１９）治療効果予測部１１５は、治療方法グループ毎に、その治療方法グループに属する症例の無再発期間の中央値と、他の類似症例の無再発期間の中央値とを算出する。また、治療効果予測部１１５は、治療方法グループ毎に、その治療グループに属する症例の無再発期間と他の類似症例の無再発期間との間に有意な差があるか否かを示すｐ値を算出する。そして、治療効果予測部１１５は、治療方法グループ毎に、その治療方法グループに属する症例の中央値、他の類似症例の中央値およびｐ値に基づいて、その治療方法を採用した場合の対象患者の予後を予測する。治療効果予測部１１５は、治療効果グラフ２２６や予測予後を含む治療効果予測結果を端末装置３１に送信する。
【０１０１】
図１５は、類似症例検索の手順例を示すフローチャート（続き）である。
（Ｓ２０）病態進行ライブラリ生成部１１６は、ステップＳ１１で選択された変数それぞれの値を、ステップＳ１３の類似症例から抽出する。
【０１０２】
（Ｓ２１）病態進行ライブラリ生成部１１６は、ステップＳ１１で選択された変数それぞれについて値の分布の情報を生成し、病態進行予測結果に対応する統計情報とする。値の分布の情報には、各値の出現割合が含まれてもよい。また、値の分布の情報には、最大値・最小値・平均・標準偏差・中央値などの統計指標が含まれてもよい。
【０１０３】
（Ｓ２２）治療効果ライブラリ生成部１１７は、治療方法を１つ選択する。
（Ｓ２３）治療効果ライブラリ生成部１１７は、ステップＳ１１で選択された変数それぞれの値を、ステップＳ２２で選択した治療方法が採用された症例（その治療方法に対応する治療方法グループに属する症例）から抽出する。
【０１０４】
（Ｓ２４）治療効果ライブラリ生成部１１７は、ステップＳ１１で選択された変数それぞれについて値の分布の情報を生成し、ステップＳ２２で選択した治療方法について生成された治療効果予測結果に対応する統計情報とする。値の分布の情報には、各値の出現割合が含まれてもよい。また、値の分布の情報には、最大値・最小値・平均・標準偏差・中央値などの統計指標が含まれてもよい。
【０１０５】
（Ｓ２５）治療効果ライブラリ生成部１１７は、ステップＳ２２で全ての治療方法を選択したか判断する。全ての治療方法を選択した場合はステップＳ２６に処理が進み、未選択の治療方法がある場合はステップＳ２２に処理が進む。
【０１０６】
（Ｓ２６）病態進行ライブラリ生成部１１６は、ステップＳ１４，Ｓ１５の病態進行予測結果とステップＳ２１の統計情報とを対応付けて、サーバ装置２００に送信する。治療効果ライブラリ生成部１１７は、ステップＳ１８，Ｓ１９の治療効果予測結果とステップＳ２４の統計情報とを対応付けて、サーバ装置２００に送信する。
【０１０７】
サーバ装置２００では、病態進行予測結果が病態進行予測テーブル２２１に登録され、病態進行予測結果に対応する統計情報が症例統計テーブル２２２に登録される。また、治療効果予測結果が治療効果予測テーブル２２４に登録され、治療効果予測結果に対応する統計情報が治療別症例統計テーブル２２５に登録される。
【０１０８】
図１６は、分析結果再利用の手順例を示すフローチャートである。
（Ｓ３０）サーバ装置２００は、端末装置４１から対象患者の臨床情報を受信する。この臨床情報に現れる変数、すなわち、ライブラリ検索に使用する変数は、端末装置４１を操作する医師などの医療従事者によって選択されている。
【０１０９】
（Ｓ３１）病態進行ライブラリ検索部２１３は、病態進行予測テーブル２２１に登録されている病態進行予測結果を１つ選択する。
（Ｓ３２）病態進行ライブラリ検索部２１３は、ステップＳ３１で選択した病態進行予測結果に対応する統計情報のうち、対象患者の臨床情報に現れる変数についての分布の情報を症例統計テーブル２２２から抽出する。
【０１１０】
（Ｓ３３）病態進行ライブラリ検索部２１３は、対象患者の臨床情報に現れる変数それぞれについて、その臨床情報に含まれる値とステップＳ３２で抽出した分布の情報とを比較して変数毎の一致率を算出する。病態進行ライブラリ検索部２１３は、変数毎の一致率の合計を、対象患者の臨床情報に現れる変数の数と病態進行予測結果が示す変数選択数のうち大きい方で割ることで、全体の一致率を算出する。
【０１１１】
（Ｓ３４）病態進行ライブラリ検索部２１３は、ステップＳ３１で全ての病態進行予測結果を選択したか判断する。全ての病態進行予測結果を選択した場合はステップＳ３５に処理が進み、未選択の病態進行予測結果がある場合はステップＳ３１に処理が進む。
【０１１２】
（Ｓ３５）病態進行ライブラリ検索部２１３は、病態進行予測結果を一致率の高い順にソートする。そして、病態進行ライブラリ検索部２１３は、一致率の高い方から所定個の病態進行予測結果または一致率が閾値以上の病態進行予測結果を検索結果として抽出する。一致率の閾値は、医師などに入力させてもよい。
【０１１３】
（Ｓ３６）治療効果ライブラリ検索部２１４は、治療効果予測テーブル２２４に登録されている治療効果予測結果を１つ選択する。
（Ｓ３７）治療効果ライブラリ検索部２１４は、ステップＳ３６で選択した治療効果予測結果に対応する統計情報のうち、対象患者の臨床情報に現れる変数についての分布の情報を治療別症例統計テーブル２２５から抽出する。
【０１１４】
（Ｓ３８）治療効果ライブラリ検索部２１４は、対象患者の臨床情報に現れる変数それぞれについて、その臨床情報に含まれる値とステップＳ３７で抽出した分布の情報とを比較して変数毎の一致率を算出する。治療効果ライブラリ検索部２１４は、変数毎の一致率の合計を、対象患者の臨床情報に現れる変数の数と治療効果予測結果が示す変数選択数のうち大きい方で割ることで、全体の一致率を算出する。
【０１１５】
（Ｓ３９）治療効果ライブラリ検索部２１４は、ステップＳ３６で全ての治療効果予測結果を選択したか判断する。全ての治療効果予測結果を選択した場合はステップＳ４０に処理が進み、未選択の治療効果予測結果がある場合はステップＳ３６に処理が進む。
【０１１６】
（Ｓ４０）治療効果ライブラリ検索部２１４は、治療効果予測結果を一致率の高い順にソートする。そして、治療効果ライブラリ検索部２１４は、一致率の高い方から所定個の治療効果予測結果または一致率が閾値以上の治療効果予測結果を検索結果として抽出する。一致率の閾値は、医師などに入力させてもよい。
【０１１７】
（Ｓ４１）病態進行ライブラリ検索部２１３は、ステップＳ３５で抽出した病態進行予測結果のリストを端末装置４１に送信する。治療効果ライブラリ検索部２１４は、ステップＳ４０で抽出した治療効果予測結果のリストを端末装置４１に送信する。病態進行予測結果のリストと治療効果予測結果のリストは、合わせて送信してもよいし、端末装置４１からの要求に応じて別個に送信してもよい。
【０１１８】
第２の実施の形態の情報処理システムによれば、大規模病院などの医療機関において特定の対象患者に対して生成された病態進行予測結果や治療効果予測結果に、その際に参照された類似症例の特徴を示す統計情報が付加されてライブラリに登録される。そして、別の対象患者の臨床情報と統計情報とが比較され、当該別の対象患者に適合する可能性の高い病態進行予測結果や治療効果予測結果がライブラリから検索される。これにより、蓄積した症例が少ない小規模診療所のなどの医療機関も、精度の高い病態進行予測結果や治療効果予測結果を取得することが可能となる。また、ライブラリには、分析時に使用された対象患者の臨床情報そのものや類似症例である臨床情報そのものは含まれない。よって、ライブラリを共有しても、各医療機関はその医療機関内の臨床情報を外部に提供しなくてよく、個人情報保護やセキュリティを向上させることができる。
【０１１９】
上記については単に本発明の原理を示すものである。更に、多数の変形や変更が当業者にとって可能であり、本発明は上記に示し、説明した正確な構成および応用例に限定されるものではなく、対応する全ての変形例および均等物は、添付の請求項およびその均等物による本発明の範囲とみなされる。
【符号の説明】
【０１２０】
１０  類似症例検索装置
１１  記憶部
１２  処理部
１３ａ，１３ｂ  分析履歴
１４ａ，１４ｂ  分析結果
１５ａ，１５ｂ  変数統計情報
１６ａ，１６ｂ  スコア
１７，１８ａ，１８ｂ，１９  患者データ
【図１】
2018073895.tif 000003
【図２】
2018073895.tif 000004
【図３】
2018073895.tif 000005
【図４】
2018073895.tif 000006
【図５】
2018073895.tif 000007
【図６】
2018073895.tif 000008
【図７】
2018073895.tif 000009
【図８】
2018073895.tif 000010
【図９】
2018073895.tif 000011
【図１０】
2018073895.tif 000012
【図１１】
2018073895.tif 000013
【図１２】
2018073895.tif 000014
【図１３】
2018073895.tif 000015
【図１４】
2018073895.tif 000016
【図１５】
2018073895.tif 000017
【図１６】
2018073895.tif 000018
【国際調査報告】
2018073895.tif 000019
2018073895.tif 000020
2018073895.tif 000021
2018073895.tif 000022